(57)【要約】    【課題】      携帯電話機の薄型化の障害とならず、かつ、ユーザの肌との接触を有効に防止すること。    【解決手段】  上側筐体１０２と下側筐体１０１とが閉じられて折り畳まれた場合に第１の突起１１０が第１のプッシュスイッチ１０９を押してＯＮとする。上側筐体１０２と下側筐体１０１とが１８５度から２１０度までの最大開放角度まで開放された場合に第２の突起１１３が第２のプッシュスイッチ１１２を押してＯＮとする。第２のプッシュスイッチ１１２が押されてＯＮとなった時に通話接続を開始すると共に操作部１０５による入力を無効とし、かつ、第１のプッシュスイッチ１０９が押されてＯＮとなった時に通話接続を切断すると共に操作部１０５による入力を有効とする。    【選択図】      図１
2005229211.tif 000002
【特許請求の範囲】
【請求項１】
下側筐体と、上側筐体と、前記下側筐体に対する前記上側筐体の最大開放角度が１８５度から２１０度までの角度となるように前記上側筐体と前記下側筐体とを開閉自在に連結しているヒンジ部材と、前記上側筐体と前記下側筐体とが開放された場合に露出される前記上側筐体の表面及び前記下側筐体の表面と、前記上側筐体の表面部に配設されている液晶表示部と、前記下側筐体の表面部に配設されている複数の操作キーを有する操作部と、前記上側筐体の裏面上端部に配設されているスピーカーと、前記下側筐体の裏面下端部に配設されているマイクロフォンと、を具備する折り畳み式の携帯電話機において、前記下側筐体の表面に配設されている第１のプッシュスイッチと、前記上側筐体の表面に設けられている第１の突起と、前記下側筐体の上端部の凹部に配設されている第２のプッシュスイッチと、前記上側筐体の裏面下端部に設けられている第２の突起と、を具備し、前記上側筐体と前記下側筐体とが閉じられて折り畳まれた場合に前記第１の突起が前記第１のプッシュスイッチを押してＯＮとし、前記上側筐体と前記下側筐体とが前記最大開放角度まで開放された場合に前記第２の突起が前記第２のプッシュスイッチを押してＯＮとし、前記第２のプッシュスイッチが押されてＯＮとなった時に通話接続を開始すると共に前記操作部による入力を無効とし、かつ、前記第１のプッシュスイッチが押されてＯＮとなった時に通話接続を切断すると共に前記操作部による入力を有効とする折り畳み式の携帯電話機。
【請求項２】
前記第２の突起が前記第２のプッシュスイッチを押してＯＮとした時に、前記液晶表示部に画像を表示させる手段を具備する請求項１に記載の折り畳み式の携帯電話機。
【発明の詳細な説明】
【技術分野】
【０００１】
本発明は、上側筐体と下側筐体とが開閉自在に連結されている折り畳み式の携帯電話機に関する。
【背景技術】
【０００２】
従来の折り畳み式の携帯電話機として、特許文献１に記載されたものがある。この従来の携帯電話機は、液晶表示画面の配設される折り畳み面に所定の高さ突出する突出部が備えられ、ユーザが通話する際に前記突出部がユーザの肌と前記液晶表示画面との間に所定の間隔を確保するものである。
【特許文献１】特開２００３−６９６８０号公報
【発明の開示】
【発明が解決しようとする課題】
【０００３】
しかしながら、従来の折り畳み式の携帯電話機においては、突出部が携帯電話機の薄型化の障害となり、また、大型の液晶表示画面が搭載された携帯電話機では突出部と液晶表示画面との距離が大きくなるためユーザの肌との接触を防ぎ難いという問題がある。
【０００４】
本発明は、かかる点に鑑みてなされたものであり、携帯電話機の薄型化の障害とならず、かつ、ユーザの肌との接触を有効に防止することができる折り畳み式の携帯電話機を提供することを目的とする。
【課題を解決するための手段】
【０００５】
請求項１に記載の折り畳み式の携帯電話機は、下側筐体と、上側筐体と、前記下側筐体に対する前記上側筐体の最大開放角度が１８５度から２１０度までの角度となるように前記上側筐体と前記下側筐体とを開閉自在に連結しているヒンジ部材と、前記上側筐体と前記下側筐体とが開放された場合に露出される前記上側筐体の表面及び前記下側筐体の表面と、前記上側筐体の表面部に配設されている液晶表示部と、前記下側筐体の表面部に配設されている複数の操作キーを有する操作部と、前記上側筐体の裏面上端部に配設されているスピーカーと、前記下側筐体の裏面下端部に配設されているマイクロフォンと、を具備する折り畳み式の携帯電話機において、前記下側筐体の表面に配設されている第１のプッシュスイッチと、前記上側筐体の表面に設けられている第１の突起と、前記下側筐体の上端部の凹部に配設されている第２のプッシュスイッチと、前記上側筐体の裏面下端部に設けられている第２の突起と、を具備し、前記上側筐体と前記下側筐体とが閉じられて折り畳まれた場合に前記第１の突起が前記第１のプッシュスイッチを押してＯＮとし、前記上側筐体と前記下側筐体とが前記最大開放角度まで開放された場合に前記第２の突起が前記第２のプッシュスイッチを押してＯＮとし、前記第２のプッシュスイッチが押されてＯＮとなった時に通話接続を開始すると共に前記操作部による入力を無効とし、かつ、前記第１のプッシュスイッチが押されてＯＮとなった時に通話接続を切断すると共に前記操作部による入力を有効とする構成を採る。
【０００６】
この構成によれば、上側筐体と下側筐体とが１８５度から２１０度までの最大開放角度まで開放された場合に第２の突起が前記第２のプッシュスイッチを押してＯＮとし、通話接続を開始すると共に操作部による入力を無効とするため、通話時に下側筐体を手で保持して通話することができるから、携帯電話機の薄型化の障害とならず、かつ、ユーザの肌との接触を有効に防止することができる。
【０００７】
また、この構成によれば、上側筐体と下側筐体とが最大開放角度まで開放された場合に第２の突起が第２のプッシュスイッチを押してＯＮとし、前記第２のプッシュスイッチが押されてＯＮとなった時に通話接続を開始すると共に操作部による入力を無効とし、かつ、第１のプッシュスイッチが押されてＯＮとなった時に通話接続を切断すると共に前記操作部による入力を有効とするため、操作性を向上させることができる。
【０００８】
請求項２に記載の折り畳み式の携帯電話機は、請求項１に記載の発明において、前記第２の突起が前記第２のプッシュスイッチを押してＯＮとした時に、前記液晶表示部に画像を表示させる手段を具備する構成を採る。
【０００９】
この構成によれば、請求項１に記載の発明の効果に加えて、液晶表示部に画像を表示させる手段を具備するため、ユーザが周囲の人に見てもらいたい画像を液晶表示部に表示することができる。
【発明の効果】
【００１０】
以上説明したように、本発明によれば、携帯電話機の薄型化の障害とならず、かつ、ユーザの肌との接触を有効に防止することができる。
【発明を実施するための最良の形態】
【００１１】
本発明の骨子は、下側筐体の表面上端部に配設されている第１のプッシュスイッチと、上側筐体の表面下端部に設けられている第１の突起と、前記下側筐体の上端部の凹部に配設されている第２のプッシュスイッチと、前記上側筐体の裏面下端部に設けられている第２の突起と、を具備し、前記上側筐体と前記下側筐体とが閉じられて折り畳まれた場合に前記第１の突起が前記第１のプッシュスイッチを押してＯＮとし、前記上側筐体と前記下側筐体とが前記最大開放角度まで開放された場合に前記第２の突起が前記第２のプッシュスイッチを押してＯＮとし、前記第２のプッシュスイッチが押されてＯＮとなった時に通話接続を開始すると共に前記操作部による入力を無効とし、かつ、前記第１のプッシュスイッチが押されてＯＮとなった時に通話接続を切断すると共に前記操作部による入力を有効とすることである。
【００１２】
以下、本発明の実施の形態について図面を参照して詳細に説明する。
【００１３】
（一実施の形態）
図１は、本発明の一実施の形態に係る折り畳み式の携帯電話機を示す略正面図である。図２は、本発明の一実施の形態に係る折り畳み式の携帯電話機を示す略背面図である。図３は、本発明の一実施の形態に係る折り畳み式の携帯電話機を示す略左側面図である。
【００１４】
図１、図２及び図３に示すように、本発明の一実施の形態に係る折り畳み式の携帯電話機１００は、下側筐体１０１、上側筐体１０２及びヒンジ装置１０３を具備している。
【００１５】
ヒンジ装置１０３は、下側筐体１０１に対する上側筐体１０２の最大開放角度が１８５度から２１０度までの角度となるように上側筐体１０１と下側筐体１０２とを開閉自在に連結している。上側筐体１０２の表面及び下側筐体１０１の表面は、上側筐体１０２と下側筐体１０１とが開放された場合に露出される。
【００１６】
上側筐体１０２の表面部には、液晶表示部１０４が配設されている。下側筐体１０１の表面部には、操作部１０５が配設されている。操作部１０５は、ユーザが操作して操作信号を入力する複数の操作キー１０５１を有している。上側筐体１０２の裏面上端部には、スピーカー１０６及びカメラ１０７が配設されている。下側筐体１０１の裏面下端部には、マイクロフォン１０８が配設されている。
【００１７】
下側筐体１０１の表面には、第１のプッシュスイッチ１０９が配設されている。上側筐体１０２の表面には、第１の突起１１０が設けられている。図４に示すように、下側筐体１０１の上端部には、凹部１１１が形成されている。この凹部１１１には、第２のプッシュスイッチ１１２が配設されている。上側筐体１０２の裏面下端部には、第２の突起１１３が設けられている。下側筐体１０１の内部には、通信部１１４が配設されている。上側筐体１０２の内部には、表示駆動部１１５が配設されている。
【００１８】
図６に示すように、折り畳み式の携帯電話機１００は、アンテナ６０１、通信部１１４、マイクロフォン１０８、スピーカー１０６、操作部１０５、表示駆動部１１５、液晶表示部１０４、第１のプッシュスイッチ１０９、第２のプッシュスイッチ１１２、カメラ１０７及び画像信号処理部６０２を具備している。通信部１１４は、送受信部６０３及び制御部６０４を具備している。
【００１９】
アンテナ６０１は、上側筐体１０２に取り付けられており、通信相手の通信装置からの送信無線信号を受けて受信信号を生成して送受信部６０３に与える。送受信部６０３は、アンテナ６０１からの受信信号に所定の処理をして制御部６０４に与える。制御部６０４は、操作部１０５からの操作信号に基づいて送受信部６０３からの受信信号をスピーカー１０６に与える。
【００２０】
マイクロフォン１０８は、音声を受けて音声信号を生成して制御部６０４に与える。制御部６０４は、操作部１０５からの操作信号に基づいてマイクロフォン１０８からの音声信号を送信信号として送受信部６０３に与える。送受信部６０３は、制御部６０４からの送信信号に所定の処理をしてアンテナ６０１に与える。アンテナ６０１は、送受信部６０３からの送信信号を受けて送信無線信号を生成して通信相手の通信装置に送信する。カメラ１０７は、被写体を撮像して画像信号を生成して画像信号処理部６０２に与える。画像信号処理部６０２は、カメラ１０７からの画像信号に所定の処理をして処理後の画像信号を制御部６０４に与える。
【００２１】
図１〜図５に示すように、上側筐体１０２と下側筐体１０１とが閉じられて折り畳まれた場合に、第１の突起１１０が第１のプッシュスイッチ１０９を押してＯＮとする。また、上側筐体１０２と下側筐体１０１とが前記最大開放角度まで開放された場合に第２の突起１１３が第２のプッシュスイッチ１１２を押してＯＮとする。第２のプッシュスイッチ１１２が押されてＯＮとなった時に、制御部６０４は通話接続を開始すると共に操作部１０５の入力の無効処理を行う。また、第１のプッシュスイッチ１０９が押されてＯＮとなった時に、制御部６０４は通話接続を切断すると共に操作部１０５の入力の有効処理を行う。
【００２２】
図４及び図５に示すように、ヒンジ装置１０３は、下側筐体１０１の上端部に設けられている２つの保持輪部１０３１と、これらの保持輪部１０３１に保持されている２つの保持軸１０３２と、一方の保持軸１０３２に回転自在に保持され下側筐体１０１の上端部に固定されている回転円筒１０３３と、他方の保持軸１０３２に回転自在に保持されている回転円筒１０３４と、を具備している。回転円筒１０３３、１０３４には、取付用貫通穴が形成されている。回転円筒１０３３、１０３４の取付用貫通穴を挿通するように、フレキシブルケーブル５０１が配設されている。フレキシブルケーブル５０１は、曲折されている。フレキシブルケーブル５０１の下端部は、下側筐体１０１の内部の通信部１１４と接続されている。フレキシブルケーブル５０１の上端部は、上側筐体１０２の内部の表示駆動部１１５と接続されている。これにより、レキシブルケーブル５０１は、下側筐体１０１と上側筐体１０２とが開放されても露出されない。
【００２３】
なお、ヒンジ装置１０３は、特開平１０−３１７７７９号公報に記載されたもので構成してもよい。特開平１０−３１７７７９号公報に記載されたヒンジ装置は、機器本体に固設の本体ヒンジ筒と、その本体当接端周縁と摺接自在なカバー当接端周縁を有してカバーに固設されたカバーヒンジ筒とを備え、前記の本体ヒンジ筒には回転止め状態で固定ディスクを、カバーヒンジ筒には回転止め状態で可動ディスクを夫々内嵌し、固定ディスクの固定突き合せ端面と可動ディスクの可動突き合せ端面の何れか一方に、係嵌凹所を所定の周角度位置にあって複数個設け、他方には前記係嵌凹所に対して、発条による弾力により係合する複数の係嵌凸部を設け、前記カバーの閉時と開時に前記係嵌凸部の係嵌凹所への係嵌を、他の係嵌凹所へ切り替えるようにしたヒンジ装置において、前記各複数の係嵌凹部と係嵌凸部とが、固定突き合せ端面か可動突き合せ端面に、その回転軸心から相互に異径である所要周角度位置にあって設定されているものである。
【００２４】
次に、本発明の一実施の形態における第１の実施例の動作について図１〜図６と共に図７を参照して説明する。図７は、本発明の一実施の形態における第１の実施例の動作を説明するためのフロー図である。
【００２５】
まず、ステップＳＴ７０１において制御部６０４は第２のプッシュスイッチ１１２がＯＮであるか否かを判断する。ステップＳＴ７０１において第２のプッシュスイッチ１１２がＯＮである時には、制御部６０４は、通話接続の開始を行って（ステップＳＴ７０２）、操作部１０５の入力の無効処理を行う（ステップＳＴ７０３）。
【００２６】
次に、ステップＳＴ７０４において制御部６０４は第１のプッシュスイッチがＯＮであるか否かを判断する。ステップＳＴ７０４において第１のプッシュスイッチがＯＮである時には、制御部６０４は、通話接続を切断し（ステップＳＴ７０５）、操作部１０５の入力の有効処理を行う（ステップＳＴ７０６）。次に、ステップＳＴ７０７において制御部６０４は動作が終了であるか否かを判断する。テップＳＴ７０７において動作が終了でない時には、動作はステップＳＴ７０１に戻る。
【００２７】
次に、本発明の一実施の形態における第２の実施例の動作における通話中表示設定について図１〜図６と共に図８を参照して説明する。図８は、本発明の一実施の形態における第２の実施例の動作における通話中表示設定を説明するためのフロー図である。
【００２８】
図８に示すように、ステップＳＴ８０１において制御部６０４は画面設定が選択されたか否かを判断する。ステップＳＴ８０１において画面設定が選択された時に、制御部６０４は液晶表示部１０４に設定項目リストを表示させる（ステップＳＴ８０２）。次に、ステップＳＴ８０３において制御部６０４は通話中表示モードの設定が選択されたか否かを判断する。ステップＳＴ８０３において通話中表示モードの設定が選択された時に、制御部６０４は液晶表示部１０４に通話中表示モードのリストを表示させる（ステップＳＴ８０４）。
【００２９】
次に、ステップＳＴ８０５において制御部６０４は通話中表示モードが選択されたか否かを判断する。ステップＳＴ８０５において通話中表示モードでない時に、制御部６０４は通話中専用画像モードであるか否かを判断する（ステップＳＴ８０６）。ステップＳ８０６において通話中専用画像モードでない時に、制御部６０４は表示ＯＦＦモードであるか否かを判断する（ステップＳＴ８０７）。ステップＳＴ８０７において表示ＯＦＦモードである時に制御部６０４は記憶装置に表示ＯＦＦモードであることを記憶させる（ステップＳＴ８０８）。
【００３０】
ステップＳＴ８０６において通話中専用画像モードである時に、制御部６０４は記憶装置に通話中専用画像モードであることを記憶させる（ステップＳＴ８０９）。次に、ステップＳＴ８１０において制御部６０４は液晶表示部１０４に画像（静止画像、動画像）のリストを表示させる。次に、ステップＳＴ８１１において制御部６０４は画像が選択されたか否かを判断する。ステップＳＴ８１１において画像が選択された時に、制御部６０４は記憶装置に選択された画像へのポインタを記憶させる（ステップＳＴ８１２）。
【００３１】
ステップＳＴ８０５において通話中表示モードである時に、制御部６０４は待ち受け画像モードであるか否かを判断する（ステップＳＴ８１３）。ステップＳＴ８１３において待ち受け画像モードでない時に、制御部６０４は相手先表示モードであるか否かを判断する（ステップＳＴ８１４）。
【００３２】
ステップＳＴ８１３において待ち受け画像モードである時に、制御部６０４は記憶装置に待ち受け画像モードであることを記憶させる（ステップＳＴ８１５）。ステップＳＴ８１４において相手先表示モードである時に制御部６０４は記憶装置に相手先表示モードであることを記憶させる（ステップＳＴ８１６）。
【００３３】
次に、本発明の一実施の形態における第２の実施例の動作における通話中表示設定について図１〜図６と共に図９及び図１０を参照して説明する。図９は、本発明の一実施の形態における第２の実施例の動作における通話中表示設定の他の例の一部を説明するためのフロー図である。図１０は、本発明の一実施の形態における第２の実施例の動作における通話中表示設定の他の例の一部を説明するための他のフロー図である。本発明の一実施の形態における第２の実施例の動作における通話中表示設定の他の例においては、本発明の一実施の形態における第１の実施例の動作における図８に示すステップと同じものには同じ符号を付してその説明を省略する。
【００３４】
図９に示すように、前記ステップＳＴ８０１から前記ステップＳＴ８１１までの動作及び前記ステップＳＴ８１３から前記ステップＳＴ８１６までの動作に、ステップＳＴ９０１からステップＳＴ９０５までの動作が追加されている。
【００３５】
前記ステップＳＴ８１１において画像が選択された時に、制御部６０４は液晶表示部に補正モード選択の表示をさせる（ステップＳＴ９０１）。次に、制御部６０４は補正モードが選択されたか否かを判断する（ステップＳＴ９０２）。ステップＳＴ９０２において補正モードが選択された時に、画像にγ補正が実行される（ステップＳＴ９０３）。このγ補正とは、図１１示すように、画像の明度の低い領域で傾きが大きく、かつ、明度の高い領域で傾きが小さくなるように画像に補正をかけることである。
【００３６】
次に、制御部６０４は記憶装置にγ補正した画像を保存させる（ステップＳＴ９０４）。次に、制御部６０４は記憶装置に選択された画像へのポインタを記憶させる（ステップＳＴ９０５）。また、ステップＳＴ９０２において補正モードが選択されない時には、ステップＳＴ９０５において制御部６０４は記憶装置に選択された画像へのポインタを記憶させる。
【００３７】
次に、本発明の一実施の形態における第２の実施例の動作における画像表示について図１〜図６と共に図１２及び図１３を参照して説明する。図１２は、本発明の一実施の形態における第２の実施例の動作における画像表示の一部を説明するためのフロー図である。図１３は、本発明の一実施の形態における第２の実施例の動作における画像表示の一部を説明するための他のフロー図である。本発明の一実施の形態における第２の実施例の動作においては、本発明の一実施の形態における第１の実施例の動作と同じものには同じ符号を付してその説明を省略する。
【００３８】
図１２に示すように、前記ステップＳＴ７０１から前記ステップＳＴ７０３までの動作が実行される。次に、ステップＳＴ１２０１において制御部６０４は通話中表示モードであるか否かを判断する。ステップＳＴ１２０１において通話中表示モードでない時に、制御部６０４は通話中専用画像モードであるか否かを判断する（ステップＳＴ１２０２）。
【００３９】
ステップＳＴ１２０２において通話中専用画像モードでない時に、制御部６０４は表示ＯＦＦモードであるか否かを判断する（ステップＳＴ１２０３）。ステップＳＴ１２０３において表示ＯＦＦモードでない時にステップＳＴ１２０４へ行く。ステップＳＴ１２０３において表示ＯＦＦモードである時に制御部６０４は液晶表示部１０４をＯＦＦとし（ステップＳＴ１２０５）、前記ステップＳＴ７０４へ行く。
【００４０】
ステップＳＴ１２０２において通話中専用画像モードである時に、制御部６０４は記憶装置から通話中表示用画像又は動画を取得し（ステップＳＴ１２０６）、ステップＳＴ１２０４へ行く。ステップＳＴ１２０１において通話中表示モードである時に、制御部６０４は待ち受け画像モードであるか否かを判断する（ステップＳＴ１２０７）。ステップＳＴ１２０７において待ち受け画像モードでない時に、制御部６０４は相手先表示モードであるか否かを判断する（ステップＳＴ１２０８）。
【００４１】
ステップＳＴ１２０７において待ち受け画像モードである時に、制御部６０４は記憶装置から待ち受け画像を取得し（ステップＳＴ１２０９）、ステップＳＴ１２０４へ行く。ステップＳＴ１２０８において相手先表示モードである時に制御部６０４は記憶装置から通話中の相手名を取得し（ステップＳＴ１２１０）、ステップＳＴ１２０４へ行く。ステップＳＴ１２０８において相手先表示モードでない時に動作はステップＳＴ７０４へ行く。
【００４２】
ステップＳＴ１２０４において、制御部６０４は取得した画像又は動画を液晶表示部１０４に表示させる。次に、前記ステップＳＴ７０４から前記ステップＳＴ７０７までの動作が実行される。
【産業上の利用可能性】
【００４３】
本発明は、折り畳み式の携帯電話機に有用である。
【図面の簡単な説明】
【００４４】
【図１】本発明の一実施の形態に係る折り畳み式の携帯電話機を示す略正面図
【図２】本発明の一実施の形態に係る折り畳み式の携帯電話機を示す略背面図
【図３】本発明の一実施の形態に係る折り畳み式の携帯電話機を示す略左側面図
【図４】本発明の一実施の形態に係る折り畳み式の携帯電話機の要部を示す略拡大左側面図
【図５】本発明の一実施の形態に係る折り畳み式の携帯電話機のヒンジ装置を示す略拡大斜視図
【図６】本発明の一実施の形態に係る折り畳み式の携帯電話機の構成を示すブロック図
【図７】本発明の一実施の形態における第１の実施例の動作を説明するためのフロー図
【図８】本発明の一実施の形態における第２の実施例の動作における通話中表示設定を説明するためのフロー図
【図９】本発明の一実施の形態における第２の実施例の動作における通話中表示設定の他の例の一部を説明するためのフロー図
【図１０】本発明の一実施の形態における第２の実施例の動作における通話中表示設定の他の例の一部を説明するための他のフロー図
【図１１】本発明の一実施の形態における第２の実施例の動作における通話中表示設定の他の例におけるγ補正を説明するための図
【図１２】本発明の一実施の形態における第２の実施例の動作における画像表示の一部を説明するためのフロー図
【図１３】本発明の一実施の形態における第２の実施例の動作における画像表示の一部を説明するための他のフロー図
【符号の説明】
【００４５】
１００  折り畳み式の携帯電話機
１０１  下側筐体
１０２  上側筐体
１０３  ヒンジ装置
１０４  液晶表示部
１０５  操作部
１０６  スピーカー
１０７  カメラ
１０８  マイクロフォン
１０９  第１のプッシュスイッチ
１１０  第１の突起
１１１  凹部
１１２  第２のプッシュスイッチ
１１３  第２の突起
１１４  通信部
１１５  表示駆動部
６０１  アンテナ
６０２  画像信号処理部
【図１】
2005229211.tif 000003
【図２】
2005229211.tif 000004
【図３】
2005229211.tif 000005
【図４】
2005229211.tif 000006
【図５】
2005229211.tif 000007
【図６】
2005229211.tif 000008
【図７】
2005229211.tif 000009
【図８】
2005229211.tif 000010
【図９】
2005229211.tif 000011
【図１０】
2005229211.tif 000012
【図１１】
2005229211.tif 000013
【図１２】
2005229211.tif 000014
【図１３】
2005229211.tif 000015